(57)【要約】【課題】立体的形状の成形体に写真画像を固着することによりオリジナルな写真画像付成形体を提供する。【解決手段】一方の面に可撓性爪部３ａおよび３ｂを備えた写真画像被転写体１を支持体４にとりつける。とりつけた後、再転写印刷法によって支持体４にとりつけられた写真画像被転写体１の写真画像被転写面２に顔写真等を印刷する。顔写真等が印刷された写真画像被転写体１を支持体４からとりはずし、爪部３ａおよび３ｂを内側に曲げながら成形体３１に固着する。これにより、オリジナルな写真画像付成形体３５が完成する。【選択図】        図５
2005000316.tif 000002
【特許請求の範囲】
【請求項１】
一面に写真画像が転写され、且つ他の面に固着手段を有する写真画像被転写体と、上記固着手段により上記写真画像被転写体が固着される成形体とからなる写真画像付成形体。
【請求項２】
上記写真画像被転写体は、写真画像の印刷が可能な塩化ビニル樹脂などのプラスチック素材からなることを特徴とする請求項１に記載の写真画像付成形体。
【請求項３】
上記固着手段は、上記他の面に所定の対向間隙で植立され、それぞれ係合用段差を備える一対の可撓性爪部からなり、上記成形体に設けられた穴部に上記爪部を内側に狭めながら固着される構成とされた請求項１に記載の写真画像付成形体。
【請求項４】
上記写真画像被転写体は、写真画像が転写される一面に突起部を有することを特徴とする請求項１に記載の写真画像付成形体。
【請求項５】
上記写真画像被転写体がカード状とされ、写真画像の転写時に、上記写真画像被転写体がカード状の支持体に挿嵌されることを特徴とする請求項１の写真画像付成形体。
【発明の詳細な説明】
【０００１】
【発明の属する技術分野】
この発明は、写真画像、例えば人の顔の写真が転写された写真画像被転写体を成形体に取り付けた写真画像付成形体に関する。
【０００２】
【従来の技術】
従来、この種の商品には、例えばゲームセンターなどに設置されている写真機を使ってその場で写真を撮り、撮った写真を複数枚のシールにするいわゆるプリクラなどと呼ばれる商品があった。撮った写真は、小さいシールになるので、手帳、携帯電話等に貼られていた。この種のシールを装飾品、例えばプリクラ・ケース貼り付ける技術については下記特許文献１に記載してある。
【０００３】
【特許文献１】
特開平１０−２０１５２１号公報
【０００４】
【発明が解決しようとする課題】
しかし、シールでは平面的なものに貼ることには適していたが、立体的形状のものに貼ることには均一に貼ることができないため適していなかった。また仮に貼ることができても、均一に貼ることができないことや、粘着力の劣化等により比較的早く剥がれてしまう問題や、素材が紙のために破れてしまう問題があった。またシール等を強固に固着し、装飾品等に利用するには接着剤を利用しなければならないなど複雑な操作を要するという問題があった。
【０００５】
例えば、立体的形状のオリジナルの携帯電話用のストラップに付ける人形を作ろうとしたとき、個別に特別注文することが考えられるが、多くの日数、費用、様々な手続などが必要とされるため、現実的に特別注文することはほとんどない。この種の商品については、プリクラなどにもみられるように自分で安価且つ簡易な操作で、作ることができることが要請される。
【０００６】
従って、この発明の目的は、写真画像を転写した写真画像被転写体の写真画像被転写面が破れたりせずに、ユーザが希望する立体的または平面的な成形体に写真画像被転写体を容易に固着することにより製作できる写真画像付成形体を提供することにある。
【０００７】
【課題を解決するための手段】
上述した課題を解決するために、請求項１の発明は、
一面に写真画像が転写され、且つ他の面に固着手段を有する写真画像被転写体と、固着手段により写真画像被転写体が固着される成形体とからなる写真画像付成形体である。
【０００８】
この発明によれば、ユーザの希望する写真画像が印刷された写真画像被転写体を様々な成形体に容易に固着することができる。
【０００９】
【発明の実施の形態】
以下、図面を参照してこの発明の一実施形態について説明する。図１Ａおよび図１Ｂは、図１Ｃにおける１点鎖線Ａ−Ａ’の矢印の方向を見た断面図である。図１Ａにおける参照符号１は、写真画像被転写体を示す。写真画像被転写体１としては例えば塩化ビニル樹脂板が用いられ、写真画像が写真画像被転写面２に印刷される。塩化ビニル樹脂板を使用するのは、紙と違い耐久性および耐衝撃性が高いためである。なお、この一実施形態における写真画像は、例えば人の顔の写真である。
【００１０】
写真画像被転写面２には、図示しないが、０．２ｍｍ程度僅かに隆起している突起部を設けることが望ましい。突起部は例えば鼻の位置に形成される。突起部が形成されることで、転写された写真画像がより立体的に見える。鼻以外に口の部分等の位置に突起部を形成してもよい。
【００１１】
写真画像被転写面２の反対面に２つの爪部３ａおよび３ｂが所定の対向間隙でもって一体的に形成される。図１Ａに示すように、写真画像被転写体１の形状とほぼ同一形状の凹部６が参照符号４で示す支持体に形成されている。写真画像被転写体１は凹部６内に挿嵌される。図１Ｂに示すように写真画像被転写体１が支持体４に挿嵌された状態で写真画像被転写面２に写真画像が転写される。
【００１２】
支持体４は板状体であるため、写真画像被転写体１が支持体４に挿嵌された場合には、印刷時の搬送性が高く、写真画像被転写面２を水平に保った状態で、写真画像を印刷することができる。
【００１３】
図１Ｃは、写真画像被転写体１を支持体４に挿嵌する前の状態の平面図である。支持体４に挿嵌される写真画像被転写体１における写真画像被転写面２の形状は、顔の写真画像を転写するためほぼ楕円形とされている。但し、矩形、三角形等の他の形状であってもよい。支持体４の材質としてはポリエチレン、ポリプロピレンなどのスチレン系のものが好ましい。これらの樹脂には印刷用のインクがのらないので、その結果、参照符号７で示す領域には、写真画像が印刷されない。
【００１４】
写真画像被転写体１に印刷される顔写真は、１回の印刷で複数枚印刷させることもできる。図２に示すように支持体４と同じ形状の支持体１０に、４つの凹部１６ａ〜１６ｄを設ける。４つの凹部それぞれに写真画像被転写体１を固着した状態で写真画像被転写面２に印刷すれば、１回の印刷で４枚の顔写真が印刷できる。参照符号１７に示す領域には、非印刷領域７と同様に写真画像が印刷されない。
【００１５】
図３は、この発明の一実施形態における支持体４に挿嵌された写真画像被転写体１の写真画像被転写面２に対して写真画像を転写するための再転写印刷法を用いた工程を示す概略図である。例えば、図示しないがディジタルカメラ、携帯電話等に備えられている撮像装置を用いて顔の画像を取り込む。取り込まれたデータは、パーソナルコンピュータにより処理される。処理された画像データが印刷システムの印刷ヘッド２０に供給される。参照符号２１は熱昇華性のインクリボンを示し、参照符号２３は再転写フィルムを示す。これらのインクリボン２１および再転写フィルム２３が密着され、印刷ヘッド２０によって写真画像が再転写フィルム２３に対して転写される。なお、インクリボン２１および再転写フィルム２３はそれぞれカートリッジ２２ａおよび２２ｂに収納されている。
【００１６】
写真画像被転写体１が挿嵌された支持体４が参照符号２４で示す再転写ヒートローラーと参照符号２５で示すローラによって挟まれた状態で搬送される。再転写フィルム２３が再転写ヒートローラー２４に加熱されることによって、写真画像が支持体４に挿嵌された写真画像被転写体１の写真画像被転写面２に熱転写される。
【００１７】
写真画像が写真画像被転写面２に転写された後、板状体の支持体４は搬送され、箱２８に設けられたスリット状の開口にスライドされて挿入される。図４Ａおよび図４Ｂは箱２８の断面図である。図４Ａに示すように箱２８には支持体４を支持するためのカード収納部３０が設けられている。図４Ｂは、カード収納部３０に、写真画像が印刷された写真画像被転写体１を有する支持体４が支持された状態を示す。箱２８の成形体収納部２７は写真画像被転写体１が固着される成形体３１を収納するのに使用することができる。なお、箱２８の形状をスリット状の開口を設けるのではなく、箱２８の上面に凹部を形成し、写真画像が転写された写真画像被転写体１を有する支持体４が搬送されて凹部に載置される構成としてもよい。
【００１８】
上述した写真画像の一連の印刷工程をコンピュータ制御によって、自動的に行うようにすれば、ユーザは必要な操作をすれば、写真画像が転写された写真画像被転写体１を有する支持体４と成形体３１が収納部２７に収納された箱２８が出てくる。ユーザは、箱２８から成形体３１を取り出し、支持体４から外した写真画像被転写体１を成形体に固着する。
【００１９】
図５に示すように、写真画像が転写された写真画像被転写体１は、成形体３１に設けられている穴部３２に固着される。爪部３ａおよび３ｂは、適度な可撓性を備えている。そこで爪部３ａと３ｂを内側に穴部３２に挿嵌できるほどに曲げた後、穴部３２に固着する。固着した後、爪部３ａと３ｂの可撓性から元の状態にもどる。これにより、爪部３ａと３ｂがもつ係合用段差と、穴部３２とが図５に示すように係合した状態になる。なお、このように爪部を成形体に挿嵌し、固着した状態にすることは、一般にスナップフィットと称されている。
【００２０】
成形体３１に固着された後は、爪部３ａおよび３ｂを操作することができなくなるため、写真画像被転写体１を成形体３１から外すことができない。但し、写真画像被転写体１と成形体３１とが固着する箇所が穴部３２の箇所だけであると写真画像被転写体１と成形体３１との結合状態がやや弱くなる可能性がある。そのため、例えば図示しないが頭部３３にスリットを形成し、写真画像被転写体１の端部をスリットに挿入するようにしてもよい。また胴部３４に更にスリットを形成しても良い。写真画像被転写体１が成形体３１に固着されると成形体３１に顔写真がはいった写真画像付成形体３５が完成する。
【００２１】
写真画像被転写体１に写真画像を転写するときに、上述した説明では、板状の支持体４を使用したが、図６に示すような箱４０を使用してもよい。箱４０は、収納部４２が蓋４４によって覆われた構成とされている。蓋４４は、支持体４と同じように中央に凹部４８と貫通穴４５が設けられ、両側に脚部４６ａおよび４６ｂが設けられている。写真画像被転写体１は、支持体４に挿嵌される方法と同じようにして、蓋４４に挿嵌される。なお、収納部４２および蓋４４の材質は、ポリプロピレン、ポリエチレン等が用いられる。
【００２２】
図７は、箱４０を利用して熱転写する工程を示す図である。写真画像被転写体１に対する写真画像の印刷の方法ついては上述した通りである。箱４０を利用した状態で搬送すれば、より機械的に簡易かつ安定した状態で写真画像を蓋４４に挿嵌された写真画像被転写体１の写真画像被転写面２に転写することが可能である。
【００２３】
この発明は、上述したこの発明の一実施形態に限定されるものでは無く、この発明の要旨を逸脱しない範囲内で様々な変形や応用が可能である。たとえば、写真画像被転写体１に設けられている成形体３１との固着手段は、爪部を設けて利用するのではなく、粘着シール等を利用しても良い。また、成形体３１は著作権等の許諾を受ければ、権利者の保有するキャラクターなどにも応用できる。さらには、一実施例では人形に写真画像被転写体１を固着したが、人形に限らず、動物、観光名所のような風景などにも固着し、様々な写真画像付成形体を作ることが可能となる。
【００２４】
この発明によれば、キャラクター、衣装、風景などに顔写真を固着することによって、よりオリジナリティある写真画像付成形体を迅速、簡易な手段によって作ることができる。
【図面の簡単な説明】
【図１】写真画像被転写体の断面図および平面図である。
【図２】写真画像被転写体の他の例を示す平面図である。
【図３】写真画像被転写体に写真画像を転写する際の工程を示す概略図である。
【図４】写真画像被転写体を挿入する箱を示す略線図である。
【図５】写真画像被転写体を成形体に固着し、完成した写真画像付成形体を示す略線図である。
【図６】箱の他の実施例を示す略線図である。
【図７】箱の他の実施例を用いて写真画像を転写する際の工程を示す概略図である。
【符号の説明】
１・・・写真画像被転写体、２・・・写真画像被転写面、３ａ、３ｂ・・・爪部、４・・・支持体、２８・・・箱、３１・・・成形体、３５・・・写真画像付成形体
【図１】
2005000316.tif 000003
【図２】
2005000316.tif 000004
【図３】
2005000316.tif 000005
【図４】
2005000316.tif 000006
【図５】
2005000316.tif 000007
【図６】
2005000316.tif 000008
【図７】
2005000316.tif 000009